(57)【要約】  【課題】  排水主管と排水管との接続作業を床上から簡単に行うことのできる管継手を提供する。  【解決手段】  基礎５２に配設され、建物５１側へ垂直に立ち上げた排水主管１２と、建物５１に設置された水回り設備５３の排水管１３とを接続する管継手１１を、排水主管１３の上端部に装着される硬質材料からなる排水主管装着部材１４と、排水管１３の下端部を保持する弾性材料からなる排水管接続部材１５とで構成する。排水主管装着部材１４は、排水主管１３の上端部に装着される小径筒部１４ａと、小径筒部１４ａの上部に拡開筒部１４ｂを介して連設された大径筒部１４ｃとを有し、排水管接続部材１５は、大径筒部１４ｃに装着される装着筒１５ａと、排水管１３の下端部が挿入される保持筒１５ｂと、保持筒１５ｂの外周に装着されたリング部材１６と、装着筒１５ａと保持筒１５ｂとを連結する環状の弾性連結部１５ｃとを備えている。【選択図】  図１
2006322515.tif 000002
【特許請求の範囲】
【請求項１】
基礎に配設されて垂直に立ち上がった床下の排水主管と、床上に設置される水回り設備の排水管とを接続する管継手において、前記管継手は、前記排水主管の上端部に装着される硬質材料からなる排水主管装着部材と、前記排水管の下端部を保持する弾性材料からなる排水管接続部材とを備え、前記排水主管装着部材は、前記排水主管の上端部に装着される小径筒部と、該小径筒部の上部に拡開筒部を介して連設された大径筒部とを有し、前記排水管接続部材は、前記大径筒部に装着される装着筒と、前記排水管の下端部が挿入される保持筒と、該保持筒の外周に装着されたリング部材と、前記装着筒と保持筒とを連結する環状の弾性連結部とを備えていることを特徴とする管継手。
【請求項２】
前記保持筒は、下部内周に前記排水管の下端を支持する環状突部を有するとともに、上部内周から保持筒の下部開口に向かって突出した環状シール片を有しており、該環状シール片の内周面は、上部開口から下部開口に向けて漸次小径となる円錐状に形成されていることを特徴とする請求項１記載の管継手。
【発明の詳細な説明】
【技術分野】
【０００１】
本発明は、管継手に関し、詳しくは、床下に配設される排水主管と床上に設置される水回り設備の排水管とを接続するための管継手に関する。
【背景技術】
【０００２】
一般に、基礎に配設された床下の排水主管と建物に設置される水回り設備の排水管との接続は、建物の床を形成した後、床上に設置した洗面台等の水回り設備の排水管と、あらかじめ床下に配設した排水主管とを床下で接続することにより行われている（例えば、特許文献１参照。）。
【特許文献１】特開平１１−２０１３２２号公報
【発明の開示】
【発明が解決しようとする課題】
【０００３】
しかし、排水主管と排水管との接続作業を床下で行う場合は、作業スペースの確保が困難で、多大な手間や労力を要するという問題があった。
【０００４】
そこで本発明は、排水主管と排水管との接続作業を床上から簡単に行うことができる管継手を提供することを目的としている。
【課題を解決するための手段】
【０００５】
上記目的を達成するため、本発明の管継手は、基礎に配設されて垂直に立ち上がった床下の排水主管と、床上に設置される水回り設備の排水管とを接続する管継手において、前記管継手は、前記排水主管の上端部に装着される硬質材料からなる排水主管装着部材と、前記排水管の下端部を保持する弾性材料からなる排水管接続部材とを備え、前記排水主管装着部材は、前記排水主管の上端部に装着される小径筒部と、該小径筒部の上部に拡開筒部を介して連設された大径筒部とを有し、前記排水管接続部材は、前記大径筒部に装着される装着筒と、前記排水管の下端部が挿入される保持筒と、該保持筒の外周に装着されたリング部材と、前記装着筒と保持筒とを連結する環状の弾性連結部とを備えていることを特徴としている。
【０００６】
さらに、本発明の管継手は、前記保持筒が、下部内周に前記排水管の下端を支持する環状突部を有するとともに、上部内周から保持筒の下部開口に向かって突出した環状シール片を有しており、該環状シール片の内周面は、上部開口から下部開口に向けて漸次小径となる円錐状に形成されていることを特徴としている。
【発明の効果】
【０００７】
本発明の管継手は、あらかじめ排水主管の上端部に装着した管継手の保持筒内に床上から排水管の下端部を挿入するだけの作業により、排水主管と排水管とを管継手を介して接続することができる。また、排水主管装着部材の上部に拡開筒部を介して大径筒部を設けるとともに、該大径筒部に装着される排水管接続部材の装着筒と排水管の下端部が挿入される保持筒とを環状の弾性連結部を介して連結しているので、排水主管と排水管の軸線がずれていても、弾性連結部が弾性変形して軸線のズレを吸収することができ、排水主管や排水管に無理な力が加わることがなく、排水性が損なわれることもない。
【０００８】
さらに、保持筒の下部内周に環状突部を設けておくことにより、保持筒への排水管の挿入量を規定することができ、排水管を保持筒の所定位置に確実に接続させることができる。また、環状シール片の内周面を円錐状に形成することにより、保持筒への排水管の挿入力を軽減しながら確実なシール性を得ることができる。
【発明を実施するための最良の形態】
【０００９】
図１は本発明の一形態例を示す管継手の断面正面図、図２は平面図、図３は排水主管に管継手を装着した状態の説明図、図４は排水主管と排水管とを管継手を介して接続する状態の説明図、図５は管継手を介して排水主管と排水管とを接続した状態の説明図、図６は管継手を介して接続した排水主管と排水管とを建物へ設置した状態を示す概略図である。
【００１０】
本形態例に示す管継手１１は、建物５１の基礎５２に配設された排水主管１２と、建物５１の床上に配設される水回り設備５３の排水管１３とを床下で接続するもので、排水主管１２の施工時に排水主管１２の上端部にあらかじめ取り付けられる。排水主管１２は、基礎５２に水平方向に配設され、先端部を基礎５２から建物５１側へ垂直に立ち上げている。排水管１３は、上端部が前記水回り施設５３に接続され、下端部は、床５４に設けた排水管挿通孔５４ａから床下に差し込まれて前記管継手１１に接続される。
【００１１】
管継手１１は、排水主管１２の上端部に連結される排水主管装着部材１４と、排水管１３の下端部を連結する排水管接続部材１５とを有している。排水主管装着部材１４は、硬質樹脂、例えば、塩化ビニル等の硬質合成樹脂で形成されており、排水主管１２の上端部が挿入される受口からなる小径筒部１４ａと、該小径筒部１４ａの上部に拡開筒部１４ｂを介して連設された大径筒部１４ｃとを一体に備えている。
【００１２】
排水管接続部材１５は、弾性を有する軟質樹脂、例えば合成ゴム等で形成されており、前記大径筒部１４ｃの外径よりも僅かに大きい内径を有する装着筒１５ａと、排水管１３の外径に対応した内径を有する保持筒１５ｂと、該保持筒１５ｂの外周に装着されるリング部材（バックアップリング）１６と、装着筒１５ａと保持筒１５ｂとを連結する環状の弾性連結部１５ｃとを備えている。装着筒１５ａの外周には、締結用のバンド１７を装着するためのバンド装着部が設けられている。
【００１３】
保持筒１５ｂは、前記小径筒部１４ａと同軸上に形成される環状シール片１５ｄと外筒１５ｅとを有しており、環状シール片１５ｄは、外筒１５ｅの上端部から外筒内下方に向けて設けられ、外筒１５ｅの上部から約半分の長さに形成されている。環状シール片１５ｄの内周面は、上部開口の内径が前記排水管１３の外径よりも僅かに大きく、下部開口に向けて漸次小径となる円錐状に形成されており、下部開口の内径が、排水管１３の外径よりも僅かに小さくなるように形成されている。外筒１５ｅの下部内周には、環状シール片１５ｄ内に挿入される排水管の下端を支持する環状突部１５ｆが設けられており、上部外周に、前記リング部材１６の装着部が形成されている。弾性連結部１５ｃは、装着筒１５ａの上端部から上方に延出した円筒部と、該円筒部の上端から保持筒１５ｂの外筒１５ｅの上下方向中間部に向かって屈曲した円錐部とを有しており、その弾性力によって保持筒１５ｂを装着筒１５ａに対して移動可能に保持している。
【００１４】
そして、排水主管装着部材１４の大径筒部１４ｃを排水管接続部材１５の装着筒１５ａ内に挿入し、装着筒１５ａの外周をバンド１７，１７で締め付けることにより、排水主管装着部材１４と排水管接続部材１５とが一体化して管継手１１が形成される。この管継手１１は、基礎５２から所定位置に立ち上げられた排水主管１２の上端部を小径筒部１４ａ内に挿入し、接着剤等で固定することによって排水主管１２の上端部に取り付けられる。
【００１５】
床５４には、管継手１１の上方位置に排水管挿通孔５４ａが形成され、床５４の施工が完了した後に、洗面台やシステムキッチン等の水回り設備５３が搬入される。水回り設備５３の排水管１３は、床５４の排水管挿通孔５４ａを通して床上から床下に差し入れ、下端部を管継手１１の保持筒１５ｂに挿入することにより、排水管１３と排水主管１２とが管継手１１を介して接続された状態となる。排水管１３の下端部を保持筒１５ｂに挿入すると、排水管１３は、該排水管１３より大径に形成された環状シール片１５ｄの上部開口から環状シール片１５ｄ内に挿入され、環状シール片１５ｄの下部を押し広げながら下部開口から突出し、下端が外筒１５ｅの環状突部１５ｆに当接して支持される。
【００１６】
このような管継手１１を用いることにより、排水主管１２と排水管１３との接続作業は、排水管挿通孔５４ａを通して管継手１１の環状シール片１５ｄに排水管１３の下端部を挿入し、下端が環状突部１５ｆに当接するまで押し込むだけでよく、床上から簡単に行うことができる。また、環状シール片１５ｄが下部開口に向けて漸次小径となる円錐状に形成されていることから、排水管１３の外周面と環状シール片１５ｄの内周面とが確実に密着して十分な止水性が得られる。さらに、排水主管１２の立ち上げ位置と、排水管１３の床下差し入れ位置とが設定位置からずれて、排水主管１２の中心軸と排水管１３の中心軸とが一致しないことがあっても、管継手１１の弾性連結部１５ｃの弾性変形によって保持筒１５ｂが適度に移動したり、傾斜したりするので、排水管１３を管継手１１に確実に接続することができ、排水主管１２や排水管１３に大きな応力が掛かることもない。また、外筒１５ｅの上部開口側の外周面にリング部材１６を装着しているので、排水管１３を環状シール片１５ｄに挿入する際に、保持筒１５ｂが変形することがなくなり、変形によって止水性が損なわれることを防止できる。
【図面の簡単な説明】
【００１７】
【図１】本発明の一形態例を示す管継手の断面正面図である。
【図２】同じく平面図である。
【図３】同じく排水主管に管継手を装着した状態の説明図である。
【図４】同じく排水主管と排水管とを管継手を介して接続する状態の説明図である。
【図５】同じく管継手を介して排水主管と排水管とを接続した状態の説明図である。
【図６】同じく管継手を介して接続した排水主管と排水管とを建物へ設置した状態を示す概略図である。
【符号の説明】
【００１８】
１１…管継手、１２…排水主管、１３…排水管、１４…排水主管装着部材、１４ａ…小径筒部、１４ｂ…拡開筒部、１４ｃ…大径筒部、１５…排水管接続部材、１５ａ…装着筒、１５ｂ…保持筒、１５ｃ…弾性連結部、１５ｄ…環状シール片、１５ｅ…外筒、１５ｆ…環状突部、１６…リング部材、１７…バンド、５１…建物、５２…基礎、５３…水回り設備、５４…床、５４ａ…排水管挿通孔
【図１】
2006322515.tif 000003
【図２】
2006322515.tif 000004
【図３】
2006322515.tif 000005
【図４】
2006322515.tif 000006
【図５】
2006322515.tif 000007
【図６】
2006322515.tif 000008